(57)【特許請求の範囲】
【請求項１】
消防セットの組立、すなわち、ジョイント接続ユニット、カバーとシールを順次に消防セットに組み合わせ、
消防セットの固定、すなわち、消防セットをスラブの上のプリセット位置に置き、カバーをスラブの上に固定してから、第一段鉄筋の配筋を進め、
消防配管の接続、すなわち、第一消防配管に接続するため、前記ジョイント接続ユニットに給水管を接続してから、第二段鉄筋の配筋を進め、
床スラブへのコンクリート流し込み、すなわち、スラブにコンクリートを流し、消防セットと消防配管をコンクリートの中に埋設し、
シールの取り外し、すなわち、スラブを取り外してから、カバー内のシールを取り除き、
スプリンクラーヘッドの組立、すなわち、スプリンクラーヘッドをジョイント接続ユニットのつなぎ側につなげて、消防用散水配管の施工を完了させる
という手順が含まれることを特徴とする床スラブ内に埋設される消防用散水配管の施工法。
【請求項２】
前記スプリンクラーヘッドの組立は、次の手順、
トリムパネルの組立、すなわち、トリムパネルをスプリンクラーヘッドに設けて、前記トリムパネルで、前記カバーの開放側が覆われ、見た目をきれいにするというトリムパネルの組立が可能であることを特徴とする、請求項１に記載の床スラブ内に埋設される消防用散水配管の施工法。
【請求項３】
消防セットの組立手順では、前記カバーは、シールにより、ジョイント接続ユニットとシールとの間に固定されていることを特徴とする、請求項１に記載の床スラブ内に埋設される消防用散水配管の施工法。
【請求項４】
前記ジョイント接続ユニットは、前記シール又は前記スプリンクラーヘッドを接続するためのつなぎ側が設けられることを特徴とする、請求項１に記載の床スラブ内に埋設される消防用散水配管の施工法。
【請求項５】
前記消防セットの組立手順では、前記カバーの片側の周りに当接部が設けられ、前記当接部の上に位置固定孔があり、前記カバーの当接部は、スラブの上に突き、前記カバーの位置固定孔に釘を打ちいれ、カバーをスラブの上に固定することにより、前記ジョイント接続ユニットのつなぎ側の軸線方向とスラブとは、垂直状態を保持するように設けられていることを特徴とする、請求項１に記載の床スラブ内に埋設される消防用散水配管の施工法。
【請求項６】
前記消防セットの組立手順では、コンクリートとカバーとの位置固定フックをしっかりと結合するために、前記カバーの当接部に位置固定フックが設けられていることを特徴とする、請求項１に記載の床スラブ内に埋設される消防用散水配管の施工法。
【請求項７】
消防配管の接続手順では、前記消防配管は第二段鉄筋に固定されていることを特徴とする、請求項１に記載の床スラブ内に埋設される消防用散水配管の施工法。
【請求項８】
前記消防配管の接続手順では、前記給水管とジョイント接続ユニットとは、コンクリートに腐食されない材料で作られていることを特徴とする、請求項１に記載の床スラブ内に埋設される消防用散水配管の施工法。
【請求項９】
前記給水管とジョイント接続ユニットは、塩素化塩化ビニル（Ｃｈｌｏｒｉｎａｔｅｄ
ｐｏｌｙｖｉｎｙｌ ｃｈｌｏｒｉｄｅ、ＣＰＶＣ）の材料で作られていることを特徴とする、請求項１に記載の床スラブ内に埋設される消防用散水配管の施工法。
【請求項１０】
前記給水管とジョイント接続ユニットとの間は、粘着剤で相互に接着していることを特徴とする、請求項１に記載の床スラブ内に埋設される消防用散水配管の施工法。
【請求項１１】
前記粘着剤は、給水管とジョイント接続ユニットとの材質と同じ塩素化塩化ビニル（Ｃｈｌｏｒｉｎａｔｅｄ
ｐｏｌｙｖｉｎｙｌ ｃｈｌｏｒｉｄｅ、ＣＰＶＣ）で作られていることを特徴とする、請求項１０に記載の床スラブ内に埋設される消防用散水配管の施工法。
【請求項１２】
前記シールの取り外し手順では、スラブを取り外した後、床スラブのコンクリート工事やペンキ塗りを行うことができることを特徴とする、請求項１に記載の床スラブ内に埋設される消防用散水配管の施工法。
【発明の詳細な説明】
【技術分野】
【０００１】
本発明は、消防用散水配管の施工法に関し、特に床スラブ内に埋設される消防用散水配管の施工法に関する。
【背景技術】
【０００２】
図１０は、従来の露出配管の消防用散水設備の結構イメージであるが、それは床スラブ１の下に全ネジロッド２が設けられ、鉄リングで鉄製給水管３を吊り上げて、露出配管の消防用散水設備が形成され、それから、スプリンクラーヘッド５を露出させるために、セーリング４に孔を開けている。
【０００３】
従来の構造は、施工中に多くの欠点があるが、消防用散水設備の給水管３は、床スラブ１全体の下に配置され、しかも、２５〜３０ｃｍの施工スペースを保持する必要があるため、利用できる天井高が減少し、住居者に容易に圧迫感を与え、ユーザに好まれない方法といえる。例えば、本来の天井高が３．５メートルだったが、２．９メートルの高さしか残されず、そして、セーリングの内装を終えてから、天井高が２．８メートルだけになってしまう。
【０００４】
その上、全ネジロッド２は、床スラブ内の事前埋設ネジにつながり、事前埋設ネジの工事では、一度の埋設工事の時間がかかり、スラブを取り外した後、また全ネジロッド２の接続を行い、鉄リングで給水管３を吊り上げるための工事作業を行うので、相当な時間がかかる。
【０００５】
その上、鉄製給水管３の切断と配管の組立は、比較的不便なことであり、鉄製給水管３が重いほかに、工事者がソーイング機、ネジ切り機等設備で、給水管３を必要なサイズに切り取り、配管に接続するためのネジなどを作らなければならないので、工事が不便で、時間もかかる。
【０００６】
全ネジロッド２と鉄リングで吊り上げた給水管３の構造においては、給水管３の構造が不安定している欠点がある。特に、配管の圧力を測定したとき、配管を揺れたりして、構造の強度にマイナスな影響を与える。
【０００７】
更に、スラブを取り外した後、床スラブ１にコンクリート流し込み、ペンキ塗りをしてから、やっと消防用散水設備と水電配管工事を行うことができるが、しかし、そこで、ペンキ塗りが完了した床スラブに汚れなどを容易に残し、工事の紛争が起こりがちなため、工事内容に対応する施工タイムが必要となり、面倒になる。
【０００８】
そのほか、床スラブ１の下に露出した消防用散水設備、乱れた給水管３は、見た目が悪く、風水もよくないため、通常、更に飾り用のセーリング４を増設する必要があり、それで、内装の費用が増加し、天井高が異なり、入居者に見えない圧迫感を与えてしまい、実用性に合わない産業利用の設計となり、それを改良しなければならない。
【発明の開示】
【発明が解決しようとする課題】
【０００９】
従来の構造の欠点を鑑みて、本発明の発明者は、研究改良を行い、［床スラブ内に埋設される消防用散水配管の施工法］を発明し、それにより上述した従来の構造の欠点をすべて解決する。
【００１０】
すなわち、本発明の［床スラブ内に埋設される消防用散水配管の施工法］の解決しようとする課題は、天井高を高めるための消防用散水配管の施工法を提供することである。
【課題を解決するための手段】
【００１１】
本発明の［床スラブ内に埋設される消防用散水配管の施工法］は、次の手順が含まれている。
１．  消防セットの組立：ジョイント接続ユニット、カバーとシールを順次に消防セットに組み合わせる。
２．  消防セットの固定：施工図に基づき、消防セットをスラブの上のプリセット位置に置き、カバーをスラブの上に固定してから、第一段鉄筋の配筋を進む。
３．  消防配管の接続：第一消防配管に接続するため、前記ジョイント接続ユニットに給水管を接続してから、第二段鉄筋の配筋を進める。
４．  床スラブへのコンクリート流し込み：スラブにコンクリートを流し、消防セットと消防配管をコンクリートの中に埋設する。
５．  シールの取り外し：スラブを取り外し、床スラブのコンクリートに工事を行い、ペンキ塗りを行ってから、カバー内のシールを直接に取り除く。
６．  スプリンクラーヘッドの組立：スプリンクラーヘッドをジョイント接続ユニットのつなぎ側につなげて、消防用散水配管の施工が完了。
【発明の効果】
【００１２】
上述の内容により、本発明の長所が以下のようにまとめられる。
1.本発明の［床スラブ内に埋設される消防用散水配管の施工法］では、消防セットの給水管が床スラブ内に埋設され、天井高のスペースがかからず、入居者に圧迫感を与えずにすむし、セーリング等の費用が不要で、不動産の購入意欲が高められ、産業利用性がある施工法である。
2.本発明の［床スラブ内に埋設される消防用散水配管の施工法］では、コンクリートへの埋設時間だけがかかり、それが終わってから、スプリンクラーヘッドでシールの交換が素早く行われ、トリムパネルの設置、施工を終えるもので、従来の全ネジロッドと鉄リングで吊り上げた給水管の煩雑な施行法が避けられ、施工時間が有効に節約、給水管の位置を安定する効果がある。
3.本発明の［床スラブ内に埋設される消防用散水配管の施工法］では、建築防火及び消防関連法規に適合し、床スラブの見た目がきれいになり、露出の乱れた給水管の配置構造が避けられ、スプリンクラーヘッドやトリムパネルの組立作業でも、ペンキ塗り済みの床スラブを汚さずにすむし、大変簡単な施工手順法である。
【００１３】
その他の目的、長所及び本発明のオリジナル性は、以下の詳細な説明や関連の図面により詳しく説明する。
【発明を実施するための最良の形態】
【００１４】
本発明の採用する技術手段及びその効果は、好適な実施例及び図面により詳しく後述するが、これらは説明のために用いられるものであり、特許申請上はこれらの構造に制限されないこととする。
【００１５】
図１に示すように、本発明の消防用散水配管の施工法には、次の手順が含まれている。
【００１６】
消防セットの組立：ジョイント接続ユニット１２、カバー１３とシール１４を図２のように順次に消防セット１０ａに組み合わせる。
【００１７】
前記ジョイント接続ユニット１２には、前記シール１４につながるためのつなぎ側１２１があり、前記カバー１３は、シール１４でジョイント接続ユニット１２とシール１４との間に固定され、前記カバー１３の片側の周りに当接部１３１が設けられ、前記当接部１３１の上に位置固定孔１３２と位置固定フック１３３がある。
【００１８】
消防セットの固定：施工図に基づき、消防セット１０ａをスラブ９０の上のプリセット位置に置き、前記カバー１３の当接部１３１がスラブ９０の上に突き、前記カバー１３の位置固定孔１３２に釘１３４を打ちいれ、図３のようにカバー１３をスラブ９０の上に固定し、そこで、前記カバー１３により、前記ジョイント接続ユニット１２のつなぎ側１２１の軸線方向とスラブ９０とは垂直状態を保持することができ、角度の傾きなどを避け、第一段鉄筋９２の配筋を進めることができる。
【００１９】
消防配管の接続：  第一消防配管１０ｂにつなげるために、前記ジョイント接続ユニット１２上に給水管１１を接続し、第二段鉄筋９３の配筋を進め、その配筋作業を終えたら、消防配管１０ｂを第二段鉄筋９３に固定し、コンクリート流し込みの時、消防配管１０ｂの位置が傾くことを避け、前記消防配管１０ｂは給水管１１をバンドで第二段鉄筋９３に固定している。
【００２０】
前記消防配管１０ｂは、消防配管１０ｂの圧力を測定するための末端が設けられ、加圧して測定結果の圧力は１２ｋｇの場合、前記消防配管１０ｂが加圧測定に合格し、そこで、消防給水側に接続できる。
【００２１】
前記給水管１１とジョイント接続ユニット１２との間は、粘着剤で相互に接着しており、本実施例では、前記給水管１１とジョイント接続ユニット１２は、塩素化塩化ビニル  （Ｃｈｌｏｒｉｎａｔｅｄ  ｐｏｌｙｖｉｎｙｌ  ｃｈｌｏｒｉｄｅ、ＣＰＶＣ）  のようなコンクリートに腐食されない材料で作られたものであり、粘着剤も給水管１１とジョイント接続ユニット１２と同じ材質の塩素化塩化ビニルで作られたものであり、それで、前記給水管１１とジョイント接続ユニット１２は接着後、一体化し、接着したところは接着していないところより強度が１．５倍となる。
【００２２】
床スラブへのコンクリート流し込み：スラブ９０にコンクリート９１を流し込み、消防セット１０ａと消防配管１０ｂをコンクリート９１の中に埋設し、図４のようにコンクリート９１をカバー１３の位置固定フック１３３へ流し込むようにし、コンクリート９１の凝固した後、カバー１３の位置固定フック１３３としっかりと結合し、スラブ９０を取り外した時、カバー１３の脱落が避けられる。
【００２３】
シールの取り外し：スラブ９０を取り外してから、床スラブのコンクリートに工事を行い、ペンキ塗りを行ってから、図５のように、カバー１３内のシール１４の直接に取り除くことができる。
【００２４】
スプリンクラーヘッドの組立：スプリンクラーヘッド１５をジョイント接続ユニット１２のつなぎ側１２１につなげて、図６のように消防用散水配管１０ｃの施工が完了。
【００２５】
スプリンクラーヘッドの施工完了後、更に次の手順が進められる。
【００２６】
トリムパネルの組立：図７、図８に示すように、トリムパネル１６をスプリンクラーヘッド１５に設けることにより、前記トリムパネル１６で、前記カバー１３の開放側が覆われ、見た目がよくなる。
【００２７】
前述した消防用散水配管１０ｃの施工法により、給水管が１１床のスラブ内に埋設され、天井高のスペースがかからず、入居者に圧迫感を与えずにすむし、セーリング等の費用が不要で、不動産の購入意欲が高められ、産業利用性がある施工法である。
【００２８】
そして、本発明の消防用散水配管１０ｃの施工法では、コンクリート９１に埋設後、スプリンクラーヘッド１５でシール１４の交換が素早く行われ、トリムパネル１６を設け、施工を終えるための全施工時間は、従来の露出配管の場合の１／３だけであり、従来の全ネジロッドと鉄リングで吊り上げた給水管１１の煩雑な施工法が避けられ、施工時間が有効に節約、給水管１１の位置を安定する効果を有する。
【００２９】
そのほか、本発明の消防用散水配管１０ｃの施工法は、建築防火及び消防関連法規に適合し、床スラブの見た目がきれいになり、露出の乱れた給水管１１の配置構造が避けられ、スプリンクラーヘッド１５やトリムパネル１６の組立作業でも、ペンキ塗り済みの床スラブを汚さずにすみ、大変簡単な施工手順法である。
【００３０】
図９に示すように、前記カバー１７は二ユニット式プレスパッキング構造であって、それにより、前記カバー１７構造の強度が高められる。
【００３１】
従って、本発明は産業上の利用価値があり、しかも同じ又は類似した発明が、国内海外の発行物に見られず、公開に使用されていないものであって特許法の規定の積極と消極極要件に一致し、特許を取得することができるものである。
【００３２】
但し、上述の内容は、本発明の好適な実施例のみであり、本発明の実施範囲を制限するために用いられるものではなく、本発明の特許請求の範囲に述べられた内容に基づき、なんらかの改造や変更を行って作られたものは、すべて本発明の特許請求の範囲に属するものとする。
【図面の簡単な説明】
【００３３】
【図１】本発明の消防用散水配管の施工法フローである。
【図２】本発明の消防セットの立体分解図である。
【図３】本発明の消防セットがスラブへ組立てられたイメージである。
【図４】本発明のスラブへのコンクリート流しのイメージである。
【図５】本発明のシールの取り外し後のイメージである。
【図６】本発明のスプリンクラーヘッドの組立後のイメージである。
【図７】本発明のトリムパネルの組立後のイメージである。
【図８】本発明の消防用散水配管の立体分解図である。
【図９】本発明のカバーの実施形態に関する二ユニット式結構のイメージである。
【図１０】従来の消防用散水設備の施工結構イメージである。
【符号の説明】
【００３４】
１
床スラブ
２
全ネジロッド
３
給水管
４
セーリング
５
スプリンクラーヘッド
１０ａ
消防セット
１０ｂ
消防配管
１１
給水管
１２
ジョイント接続ユニット
１２１
つなぎ側
１３
カバー
１３１
当接部
１３２
位置固定孔
１３３
位置固定フック
１３４
釘
１４
シール
１５
スプリンクラーヘッド
１６
トリムパネル
１７
カバー
１７１
当接部
１７２
位置固定孔
１７３
位置固定フック
９０
スラブ
９１
コンクリート
９２
第一段鉄筋
９３
第二段鉄筋
【図１】
0005192290.tif 000002
【図２】
0005192290.tif 000003
【図３】
0005192290.tif 000004
【図４】
0005192290.tif 000005
【図５】
0005192290.tif 000006
【図６】
0005192290.tif 000007
【図７】
0005192290.tif 000008
【図８】
0005192290.tif 000009
【図９】
0005192290.tif 000010
【図１０】
0005192290.tif 000011